(57)【特許請求の範囲】
【請求項１】
管壁が複数層からなる防鼠管であって、
前記管壁は、カプサイシン類からなる鼠忌避剤を含有してなる鼠忌避層を備え、
前記鼠忌避層は、前記管壁の最外層となる第１鼠忌避層と、その第１鼠忌避層より内側の第２鼠忌避層とを有し、
前記第１鼠忌避層と前記第２鼠忌避層との前記カプサイシン類からなる鼠忌避剤の含有率は、相対的に、前記第１鼠忌避層が小で、前記第２鼠忌避層が大であり、また、
前記管壁は、前記第２鼠忌避層より内側に最内層を備え、その最内層は、鼠忌避剤を含有することなく前記第２鼠忌避層を保護する保護層からなる、防鼠管。
【請求項２】
管壁が複数層からなる防鼠管であって、
前記管壁は、鼠忌避剤を含有してなる鼠忌避層を備え、
前記鼠忌避層は、前記管壁の最外層となる第１鼠忌避層と、その第１鼠忌避層より内側の第２鼠忌避層とを有し、
前記第１鼠忌避層は、カプサイシン類を除く鼠忌避剤を含有してなり、前記第２鼠忌避層は、カプサイシン類からなる鼠忌避剤を含有してなり、また、
前記管壁は、前記第２鼠忌避層より内側に最内層を備え、その最内層は、鼠忌避剤を含有することなく前記第２鼠忌避層を保護する保護層からなる、防鼠管。
【請求項３】
前記最内層は、虫忌避剤を含有してなる、請求項１または２に記載の防鼠管。
【請求項４】
前記第１鼠忌避層は、耐紫外線特性を有する、請求項１ないし３のいずれか１項に記載の防鼠管。
【請求項５】
前記管壁には、その管壁を貫通して配線・配管材を出し入れ可能とするスリットが形成されている、請求項１ないし４のいずれか１項に記載の防鼠管。
【請求項６】
前記スリットは、前記管壁に対しスパイラル状に形成される、請求項５に記載の防鼠管。
【発明の詳細な説明】
【技術分野】
【０００１】
この発明は、鼠忌避剤を含有する防鼠管に関するものである。
【背景技術】
【０００２】
従来、カプサイシン等の防鼠剤（鼠忌避剤）を含有する防鼠管は、その防鼠剤が人の目や鼻等の粘膜に刺激を与えるため、取扱いには注意が必要であった。そこで、防鼠剤を含有した内層を、防鼠剤を含有しない外層で被う、積層された防鼠管が考えられた（例えば、特許文献１参照）。
【先行技術文献】
【特許文献】
【０００３】
【特許文献１】特許第３２２３８０１号公報
【発明の概要】
【発明が解決しようとする課題】
【０００４】
しかし、前記従来の防鼠管にあっては、防鼠剤（鼠忌避剤）を含有しない外層が鼠にかじられて、防鼠剤（鼠忌避剤）を含有した内層が簡単に露出するため、人への刺激も問題となる虞があった。
【０００５】
この発明は、上記した従来の欠点を解決するためになされたものであり、その目的とするところは、人への刺激を抑えることができ、かつ、防鼠効果を高めることができる、防鼠管を提供することにある。
【課題を解決するための手段】
【０００６】
この発明に係る防鼠管は、前記目的を達成するために、次の構成からなる。すなわち、
請求項１に記載の発明に係る防鼠管は、管壁が複数層からなる防鼠管であって、前記管壁は、カプサイシン類からなる鼠忌避剤を含有してなる鼠忌避層を備える。そして、前記鼠忌避層は、前記管壁の最外層となる第１鼠忌避層と、その第１鼠忌避層より内側の第２鼠忌避層とを有する。ここで、前記第１鼠忌避層と前記第２鼠忌避層との前記カプサイシン類からなる鼠忌避剤の含有率は、相対的に、前記第１鼠忌避層が小で、前記第２鼠忌避層が大である。また、前記管壁は、前記第２鼠忌避層より内側に最内層を備え、その最内層は、鼠忌避剤を含有することなく前記第２鼠忌避層を保護する保護層からなる。
【０００７】
この防鼠管によると、最外層となる第１鼠忌避層は、その第１鼠忌避層より内側の第２鼠忌避層に比して、カプサイシン類からなる鼠忌避剤の含有率が小さくなっている。このため、最外層である第１鼠忌避層により、比較的小さな鼠を忌避することができる。そして、大きな鼠に対しては、第１鼠忌避層をかじられる虞はあるが、この場合には、カプサイシン類からなる鼠忌避剤の含有率が相対的に大である第２鼠忌避層が露出し、その第２鼠忌避層により、大きな鼠を忌避することができる。
【０００８】
また、請求項２に記載の発明に係る防鼠管は、管壁が複数層からなる防鼠管であって、
前記管壁は、鼠忌避剤を含有してなる鼠忌避層を備える。そして、前記鼠忌避層は、前記管壁の最外層となる第１鼠忌避層と、その第１鼠忌避層より内側の第２鼠忌避層とを有する。ここで、前記第１鼠忌避層は、カプサイシン類を除く鼠忌避剤を含有してなり、前記第２鼠忌避層は、カプサイシン類からなる鼠忌避剤を含有してなる。また、前記管壁は、前記第２鼠忌避層より内側に最内層を備え、その最内層は、鼠忌避剤を含有することなく前記第２鼠忌避層を保護する保護層からなる。
【０００９】
この防鼠管によると、最外層となる第１鼠忌避層は、カプサイシン類を除く鼠忌避剤を含有し、内側の第２鼠忌避層は、カプサイシン類からなる鼠忌避剤を含有する。このため、人への刺激があるカプサイシン類を含有する第２鼠忌避層を、最外層である第１鼠忌避層により保護することができる。そして、第１鼠忌避層と第２鼠忌避層との、成分の異なる層を設けることで、防鼠効果を高めることができる。
【００１０】
【００１１】
また、請求項３に記載の発明に係る防鼠管のように、請求項１または２に記載の防鼠管において、前記最内層は、虫忌避剤を含有してもよい。これにより、防鼠管内には、虫が侵入し難い。
【００１２】
また、請求項４に記載の発明に係る防鼠管のように、請求項１ないし３のいずれか１項に記載の防鼠管において、前記第１鼠忌避層は、耐紫外線特性を有するものであってもよい。これにより、防鼠管が屋外の外光下に配設される場合であっても、防鼠管としての機能を長く維持することができる。
【００１３】
また、請求項５に記載の発明に係る防鼠管のように、請求項１ないし４のいずれか１項に記載の防鼠管において、前記管壁には、その管壁を貫通して配線・配管材を出し入れ可能とするスリットが形成されてもよい。
【００１４】
また、請求項６に記載の発明に係る防鼠管のように、請求項５に記載の防鼠管において、前記スリットは、前記管壁に対しスパイラル状に形成されてもよい。
【発明の効果】
【００１５】
請求項１に記載の発明に係る防鼠管によれば、最外層にカプサイシン類からなる鼠忌避剤の含有率が小である第１鼠忌避層を設け、内側にその含有率が大である第２鼠忌避層を設けることで、最外層（第１鼠忌避層）が鼠にかじられてそれより内側の層（第２鼠忌避層）が露出する頻度が低下し、全体として、人への刺激を抑えることができ、かつ、防鼠効果を高めることができる。また、このように、第１鼠忌避層が、内側の第２鼠忌避層を覆うことで、第２鼠忌避層が外側に露出し難く、その第２鼠忌避層におけるカプサイシン類の薬効を、長期に渡って維持することができる。
【００１６】
請求項２に記載の発明に係る防鼠管によれば、最外層にカプサイシン類を除く鼠忌避剤を含有する第１鼠忌避層を設け、内側にカプサイシン類からなる鼠忌避剤を含有する第２鼠忌避層を設けることで、第２鼠忌避層を第１鼠忌避層で保護して、カプサイシン類による人への刺激を抑えることができ、かつ、成分の異なる第１鼠忌避層と第２鼠忌避層により、防鼠効果を高めることができる。また、このように、第１鼠忌避層が、内側の第２鼠忌避層を覆うことで、第２鼠忌避層が外側に露出し難く、その第２鼠忌避層におけるカプサイシン類の薬効を、長期に渡って維持することができる。
【図面の簡単な説明】
【００１７】
【図１】この発明の一実施の形態の、防鼠管の断面図である。
【発明を実施するための形態】
【００１８】
以下、この発明に係る防鼠管を実施するための形態を図面に基づいて説明する。
【００１９】
図１は、本発明の一実施の形態を示す。図中符号１は、防鼠管を示し、この防鼠管１は、管壁１ａが複数層からなる。
【００２０】
この防鼠管１は、例えば配線・配管材（配線材または配管材）を収容保護する管であって、地中に埋設されたり、コンクリート構造物内に埋設されたり、あるいは露出して配設されたりする。ここで、防鼠管１の管壁１ａは、カプサイシン類からなる鼠忌避剤を含有してなる鼠忌避層２を備える。この鼠忌避層２は、管壁１ａの最外層となる第１鼠忌避層２ａと、その第１鼠忌避層２ａより内側の第２鼠忌避層２ｂとを有する。そこで、第１鼠忌避層２ａと第２鼠忌避層２ｂとの前記カプサイシン類からなる鼠忌避剤の含有率は、相対的に、第１鼠忌避層２ａが小で、第２鼠忌避層２ｂが大となっている。
【００２１】
また、防鼠管１の管壁１ａは、第２鼠忌避層２ｂより内側に最内層を備える。この最内層は、鼠忌避剤を含有することなく第２鼠忌避層２ｂを保護する保護層３からなる。
【００２２】
具体的には、防鼠管１は、合成樹脂製であって、可撓性を有する波付管からなる。そして、防鼠管１は、管壁１ａが三層、つまり三層管からなる。すなわち、防鼠管１は、外側から順に、最外層となる第１鼠忌避層２ａと、第２鼠忌避層２ｂと、最内層となる保護層３とで構成される。そして、鼠忌避層２である、第１鼠忌避層２ａと第２鼠忌避層２ｂは、例えば、鼠忌避剤（詳しくは、マイクロカプセルに封入された鼠忌避剤）が、ベースとなる塩化ビニル樹脂とかポリエチレン樹脂とかナイロン樹脂等の合成樹脂材料とともに混練されて成形される。
【００２３】
また、前記最外層となる第１鼠忌避層２ａにおいては、カプサイシン類からなる鼠忌避剤の含有率は、例えば、０．１〜０．５重量％であるのが望ましい。そして、第１鼠忌避層２ａは、耐紫外線特性を有する。詳細には、第１鼠忌避層２ａは、カーボンを、好ましくは２〜５重量％含有し、これによって、第１鼠忌避層２ａの材料である合成樹脂材料の耐紫外線特性が向上する。一方、第２鼠忌避層２ｂにおいては、カプサイシン類からなる鼠忌避剤の含有率は、例えば、１〜２重量％であるのが望ましい。
【００２４】
管壁１ａの最内層となる保護層３は、虫忌避剤を含有している。この保護層３は、例えば、鼠忌避層２の内面（つまり、第２鼠忌避層２ｂの内面）に、虫忌避素材が塗布されて、その虫忌避素材が硬化して被膜化されたものである。この虫忌避素材は、合成樹脂材料に虫忌避剤を混合したもの、詳細には、バインダー樹脂と揮発性溶剤と虫忌避剤（詳しくは、マイクロカプセルに封入された虫忌避剤）とを含むものであって、塗布後に、揮発性溶剤が揮発することで、虫忌避素材は、硬化して被膜化される。また、虫忌避剤の成分としては、例えば、ピレスロイド系剤、有機リン剤、カーバメート剤、ホウ素化合物、フッ素化合物などが挙げられる。
【００２５】
次に、以上の構成からなる防鼠管１の作用効果について説明する。この防鼠管１によると、最外層となる第１鼠忌避層２ａは、その第１鼠忌避層２ａより内側の第２鼠忌避層２ｂに比して、カプサイシン類からなる鼠忌避剤の含有率が小さくなっている。このため、最外層である第１鼠忌避層２ａにより、比較的小さな鼠を忌避することができる。そして、大きな鼠に対しては、第１鼠忌避層２ａをかじられる虞はあるが、この場合には、カプサイシン類からなる鼠忌避剤の含有率が相対的に大である第２鼠忌避層２ｂが露出し、その第２鼠忌避層２ｂにより、大きな鼠を忌避することができる。ここで、第１鼠忌避層２ａは、大きな鼠が一噛みで第２鼠忌避層２ｂに達するよう、厚さが薄くてもよく、この場合には、大きな鼠の一噛みで、その大きな鼠を忌避することができる。
【００２６】
こうして、この防鼠管１によれば、最外層にカプサイシン類からなる鼠忌避剤の含有率が小である第１鼠忌避層２ａを設け、内側にカプサイシン類からなる鼠忌避剤の含有率が大である第２鼠忌避層２ｂを設けることで、最外層（第１鼠忌避層２ａ）が鼠にかじられてそれより内側の層（第２鼠忌避層２ｂ）が露出する頻度が低下し、全体として、人への刺激を抑えることができ、かつ、防鼠効果を高めることができる。また、このように、第１鼠忌避層２ａが、内側の第２鼠忌避層２ｂを覆うことで、第２鼠忌避層２ｂが外側に露出し難く、その第２鼠忌避層２ｂにおけるカプサイシン類の薬効を、長期に渡って維持することができる。
【００２７】
また、第２鼠忌避層２ｂより内側に、第２鼠忌避層２ｂを保護する保護層３を設け、その保護層３を最内層とすることで、防鼠管１の内面に、鼠忌避剤が露出することがない。このため、防鼠管１の内部に、配線材や配管材を通す場合に、配線材や配管材に鼠忌避剤が付着することも、その鼠忌避剤が人の手に付着することも防ぐことができる。また、このように、保護層３により、第２鼠忌避層２ｂは、内側に露出することがなく、この保護層３と第１鼠忌避層２ａとで、第２鼠忌避層２ｂにおけるカプサイシン類の薬効を、一層長期に渡って維持することができる。
【００２８】
また、最内層が、虫忌避剤を含有することから、防鼠管１内には、虫が侵入し難く、その虫が防鼠管１内を通って建築物等に侵入することを防ぐことができる。
【００２９】
また、最外層となる第１鼠忌避層２ａは、耐紫外線特性を有する。これにより、防鼠管１が屋外の外光下に配設される場合であっても、防鼠管１としての機能を長く維持することができる。
【００３０】
なお、本発明は、上述した実施の形態に限定されるわけではなく、その他種々の変更が可能である。例えば、防鼠管１は、波付管からなるが、この波付管は、その波を構成する凹部および凸部が、リング状に形成される以外に、螺旋状に形成されてもよい。また、この防鼠管１は、波付管でなくとも、平滑管であってもよい。
【００３１】
また、鼠忌避層２（第１鼠忌避層２ａおよび第２鼠忌避層２ｂ）は、カプサイシン類からなる鼠忌避剤を含有するが、管壁１ａの最外層となる第１鼠忌避層２ａが、カプサイシン類を除く鼠忌避剤を含有してなり、その第１鼠忌避層２ａより内側の第２鼠忌避層２ｂが、カプサイシン類からなる鼠忌避剤を含有してなってもよい。ここで、第１鼠忌避層２ａにおける、カプサイシン類を除く鼠忌避剤としては、例えば、安息香酸デナトニウムやシクロヘキシミド等の苦味成分とか、テルペノイド等のにおい成分とか、ハッカやミント等の香料とかが挙げられる。この防鼠管１によると、最外層となる第１鼠忌避層２ａは、カプサイシン類を除く鼠忌避剤を含有し、内側の第２鼠忌避層２ｂは、カプサイシン類からなる鼠忌避剤を含有する。このため、人への刺激があるカプサイシン類を含有する第２鼠忌避層２ｂを、最外層である第１鼠忌避層２ａにより保護することができる。そして、鼠忌避層２として、第１鼠忌避層２ａと第２鼠忌避層２ｂとの、成分の異なる層を設けることで、防鼠効果を高めることができる。すなわち、最外層にカプサイシン類を除く鼠忌避剤を含有する第１鼠忌避層２ａを設け、内側にカプサイシン類からなる鼠忌避剤を含有する第２鼠忌避層２ｂを設けることで、第２鼠忌避層２ｂを第１鼠忌避層２ａで保護して、カプサイシン類による人への刺激を抑えることができ、かつ、成分の異なる第１鼠忌避層２ａと第２鼠忌避層２ｂにより、防鼠効果を高めることができる。また、このように、第１鼠忌避層２ａが、内側の第２鼠忌避層２ｂを覆うことで、第２鼠忌避層２ｂが外側に露出し難く、その第２鼠忌避層２ｂにおけるカプサイシン類の薬効を、長期に渡って維持することができる。
【００３２】
また、第１鼠忌避層２ａと第２鼠忌避層２ｂとは、鼠忌避剤（詳しくは、マイクロカプセルに封入された鼠忌避剤）が、ベースとなる塩化ビニル樹脂とかポリエチレン樹脂とかナイロン樹脂等の合成樹脂材料とともに混練されて成形されるが、特に第１鼠忌避層２ａは、塗料等のコーティングにより被膜形成されたものでもよい。すなわち、この第１鼠忌避層２ａは、例えば、第２鼠忌避層２ｂの外面に、鼠忌避素材（コーティング材）が塗布されて、その鼠忌避素材が硬化して被膜化されたものでもよい。そして、この鼠忌避素材にカーボンを付加すれば、第１鼠忌避層２ａ、ひいてはこの防鼠管１の耐紫外線特性（つまり、耐候性）が向上する。
【００３３】
また、防鼠管１は、管壁１ａが三層からなるが、保護層３を省くことで、第１鼠忌避層２ａと第２鼠忌避層２ｂとの二層からなって、その第２鼠忌避層２ｂが最内層となってもよい。また、反対に、第１鼠忌避層２ａと第２鼠忌避層２ｂとの間、あるいは、第２鼠忌避層２ｂと保護層３との間に、他の層を設けることで、管壁１ａが四層以上の層からなってもよい。
【００３４】
また、最外層となる第１鼠忌避層２ａは、耐紫外線特性を有するが、防鼠管１が配設される場所によっては、この耐紫外線特性を有しなくともよい。
【００３５】
また、最内層となる保護層３は、虫忌避剤を含む虫忌避素材が塗布されて形成されるが、虫忌避剤（詳しくは、マイクロカプセルに封入された虫忌避剤）が、ベースとなる合成樹脂材料（例えば、塩化ビニル樹脂とかポリエチレン樹脂とかナイロン樹脂等）とともに混練されて成形されてもよい。また、こうして、最内層は、虫忌避剤を含有するが、この虫忌避剤を含有しなくともよい。また、この最内層となる保護層３が、虫忌避剤を含有しない場合には、その保護層３の内面に、虫忌避剤を含有する防虫層を、防鼠管１の長手方向に断続的に設けてもよい。さらに、防鼠管１が保護層３を備えない場合には、この断続的な防虫層を、最内層となる例えば第２鼠忌避層２ｂの内面に設けてもよい。そして、このように、最内層の内面に防虫層を断続的に設けた場合には、防鼠管１内に、虫が侵入しても、その虫が管内を移動し難い。
【００３６】
また、管壁１ａには、その管壁１ａを貫通して配線・配管材を出し入れ可能とするスリットが形成されてもよい。そして、このスリットは、管壁１ａに対し長手方向に真直ぐ形成されてもよく、また、管壁１ａに対しスパイラル状に形成されてもよい。
【符号の説明】
【００３７】
１  防鼠管
１ａ  管壁
２  鼠忌避層
２ａ  第１鼠忌避層
２ｂ  第２鼠忌避層
３  保護層
【図１】
0006411953.tif 000002